(57)【要約】【課題】ＲＦＩＤ用紙（ＲＦＩＤラベル８）との間のデータ交信およびデータ印字にともなう全体の処理速度を上げるとともに、データ読取り書込み部４および印字部５の相対的な位置規制やＲＦＩＤ用紙８の用紙長さの規制を解除することができ、ＲＦＩＤ用紙連続体２のバックフィードなどを不要としたＲＦＩＤ用紙用プリンターを提供すること。【解決手段】ＲＦＩＤ用紙用プリンターの動作のうち各種状態において、データ読取り書込み部４におけるＲＦＩＤ用紙８へのデータ交信をどの状態よりも優先して行うことに着目し、データ読取り書込み部４におけるデータの読取りあるいは書込みが適正であるか否かの判定結果を記憶するデータ読取り書込み結果テーブル２１を制御部６に設けるとともに、データ読取り書込み結果テーブル２１における判定結果が適正なＲＦＩＤ用紙８について印字部５における所定の情報の印字を行うことを特徴とする。【選択図】図１
2008126456.tif 000002
【特許請求の範囲】
【請求項１】
アンテナおよびＩＣチップを有するＲＦＩＤ用紙を移送する移送路と、データ読取り書込み部と、印字部と、この印字部および前記データ読取り書込み部を制御する制御部と、を有し、
前記ＲＦＩＤ用紙の複数枚を前記移送路上に移送するとともに、前記データ読取り書込み部において前記ＲＦＩＤ用紙との間でデータの読取りあるいは書込みを行い、さらに前記印字部において前記ＲＦＩＤ用紙に所定の情報の印字を行うＲＦＩＤ用紙用プリンターであって、
前記データ読取り書込み部における前記データの前記読取りあるいは前記書込みが適正であるか否かの判定結果を記憶するデータ読取り書込み結果テーブルを、前記制御部に設けるとともに、
このデータ読取り書込み結果テーブルにおける前記判定結果が適正な前記ＲＦＩＤ用紙について前記印字部における前記所定の情報の前記印字を行うことを特徴とするＲＦＩＤ用紙用プリンター。
【請求項２】
前記データ読取り書込み結果テーブルにおける前記判定結果が不適正な前記ＲＦＩＤ用紙への印字について警告を出力するようにしたことを特徴とする請求項１記載のＲＦＩＤ用紙用プリンター。
【請求項３】
前記制御部は、前記印字部において印字が終了した前記ＲＦＩＤ用紙の前記移送路上におけるつぎの前記ＲＦＩＤ用紙について、前記データ読取り書込み結果テーブルにおける判定結果を確認することを特徴とする請求項１記載のＲＦＩＤ用紙用プリンター。
【請求項４】
前記ＲＦＩＤ用紙が前記データ読取り書込み部と交信可能な位置に移送されてきたをことを検出可能とすることを特徴とする請求項１記載のＲＦＩＤ用紙用プリンター。
【発明の詳細な説明】
【技術分野】
【０００１】
本発明はＲＦＩＤ用紙用プリンターにかかるもので、とくにラベルあるいはタグ（下げ札）などの形態としたＲＦＩＤ用紙との間のデータ通信および印字を行うためのＲＦＩＤ用紙用プリンターに関するものである。
【背景技術】
【０００２】
従来から、ＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うための各種のＲＦＩＤ用紙をプリンターに装填してその表面に所定の情報を印字することが行われている。
従来のＲＦＩＤ用紙用のプリンター（たとえばサーマルプリンター１）について、図４にもとづき概説する。
図４は、サーマルプリンター１の要部概略側面図であって、サーマルプリンター１は、ＲＦＩＤ用紙連続体２の移送路３と、データ読取り書込み部４（リーダーライター）と、印字部５と、制御部６と、を有する。
【０００３】
ＲＦＩＤ用紙連続体２は、たとえばラベル形態としてもので、帯状の台紙７と、台紙７上に等間隔に仮着した複数枚のＲＦＩＤラベル８（ＲＦＩＤ用紙）と、を有する。もちろん、ＲＦＩＤ用紙が互いにミシン目などを挟んで連続した状態のタグ（下げ札）形態とすることもできる。
ＲＦＩＤラベル８は、ラベル本体９にＲＦＩＤインレット１０（いわゆるＩＣタグ）を積層して組み込んで構成したもので、これを台紙７とともに移送路３上にこれを移送する。ＲＦＩＤインレット１０は、アンテナ１１およびＩＣチップ１２、を有する。
このＲＦＩＤラベル８は、データ読取り書込み部４からの電波の発信を受けて、ＩＣチップ１２からのデータの読取りおよびＩＣチップ１２へのデータの書込みが可能であるとともに、印字部５においてその表面に所定の情報を印字可能である。
なお、台紙７の裏面には、ラベル位置検出用のラベル位置検出用マーク１３をあらかじめ印刷してある。
【０００４】
移送路３には、ＲＦＩＤ用紙連続体２の供給部（図示せず）からデータ読取り書込み部４および印字部５に向かってＲＦＩＤ用紙連続体２が適正に移送されるようにしてある。
【０００５】
データ読取り書込み部４は、印字部５の上流側に位置して、ＲＦＩＤ用紙連続体２の個々のＲＦＩＤラベル８がデータ読取り書込み部４との間でデータ交信可能な領域に移送されてきたときに、制御部６からの制御信号により、ＲＦＩＤラベル８からのデータの読取りあるいはＲＦＩＤラベル８へのデータの書込み、すなわち無線による非接触のデータ伝送を双方向に行うことができる。
【０００６】
印字部５は、サーマルヘッド１４およびプラテンローラー１５を有し、ラベル位置検出用マーク１３を検出したラベル検出センサー１６からの検出信号にもとづき、制御部６からサーマルヘッド１４の発熱素子１７に出力される制御信号により、必要に応じてＲＦＩＤ用紙連続体２のＲＦＩＤラベル８の表面上に所定の情報を印字する。この印字する情報としては、ＲＦＩＤラベル８の管理情報やその他必要な表示情報、あるいはＩＣチップ１２内のデータに対応した情報など、任意の情報である。
また、台紙７からＲＦＩＤラベル８を剥離するための剥離部（剥離板、図示せず）を必要に応じて設けることにより、台紙７のみを転向させて、台紙７からＲＦＩＤラベル８を剥離可能とすることができる。
【０００７】
制御部６は、上述したＲＦＩＤ用紙連続体２の移送を制御するとともに、データ読取り書込み部４および印字部５（サーマルヘッド１４およびプラテンローラー１５）を制御する。
【０００８】
こうした構成のサーマルプリンター１において、データ読取り書込み部４においてＲＦＩＤラベル８との間のデータ交信すなわち、ＲＦＩＤラベル８内のＩＣチップ１２からデータを読み取り、あるいはＩＣチップ１２に必要なデータを書き込むことができるとともに、これらのデータに対応する所定のバーコード情報などを印字部５においてＲＦＩＤラベル８の表面に印字可能である。
【０００９】
データ読取り書込み部４と印字部５との間の間隔Ｐ（サーマルヘッド１４の発熱素子１７とデータ読取り書込み部４の上流側端部との間の間隔、ないしは、発熱素子１７と、データ読取り書込み部４に対してＲＦＩＤラベル８のＲＦＩＤインレット１０が交信可能となる限界位置と、の間の間隔）が、ＲＦＩＤラベル８の移送方向におけるラベル長さＬ（ラベルピッチ、用紙長さ）に対して同じか短い場合には、データ読取り書込み部４において、あるＲＦＩＤラベル８との間でデータ交信ののちに、このＲＦＩＤラベル８を上流側へ逆移送（いわゆるバックフィード）を行うことなく、順方向へのＲＦＩＤ用紙連続体２の移送操作のみで（すなわち、データ読取り書込み部４と印字部５との間でそれぞれＲＦＩＤラベル８と一対一の関係を維持したまま）、データ交信およびデータ印字を順次実行可能である。
【００１０】
しかしながら、データ読取り書込み部４と印字部５との間の間隔ＰがＲＦＩＤラベル８のラベル長さＬより大きい場合には、一枚のＲＦＩＤラベル８についてその印字を完了するまでは、つぎのＲＦＩＤラベル８との間のデータ交信を行わないようにしていた。すなわち、データ読取り書込み部４におけるデータの読取りあるいは書込みをあるＲＦＩＤラベル８に対して行ったのち、このＲＦＩＤラベル８が印字部５に至った際にそのＲＦＩＤラベル８について印字部５における印字ののち、ＲＦＩＤ用紙連続体２をバックフィードし、そのＲＦＩＤラベル８の上流側に隣り合って位置していてまだデータ交信していないＲＦＩＤラベル８に対してデータ読取り書込み部４においてデータ交信を行うことになる。
あるいは、特許文献１のように、データ読取り書込み部４自体を移送路３に沿って移動させるような機構を採用する場合もある。
このようにサーマルプリンター１の制御としては面倒かつ全体の処理速度が低下するバックフィードを行わずに、円滑に処理を実行するためには、データ読取り書込み部４と印字部５との間の間隔ＰをＲＦＩＤ用紙連続体２のＲＦＩＤラベル８のラベル長さＬ以下とする必要があるが、ＲＦＩＤラベル８が小さい場合には、プラテンローラー１５およびデータ読取り書込み部４の大きさに制限があって間隔Ｐを小さくするにも限界があるとともに、あまり間隔Ｐを小さくすると、データ読取り書込み部４におけるデータ交信が隣り合うＲＦＩＤラベル８間で電波干渉が発生してしまうという問題もある。
【００１１】
【特許文献１】特開２００５−１０７９９１号公報
【発明の開示】
【発明が解決しようとする課題】
【００１２】
本発明は以上のような諸問題にかんがみなされたもので、ＲＦＩＤラベルやＲＦＩＤタグなどのＲＦＩＤ用紙との間のデータ交信およびデータ印字にともなう全体の処理速度を上げることができるＲＦＩＤ用紙用プリンターを提供することを課題とする。
【００１３】
また本発明は、データ読取り書込み部および印字部の相対的な位置規制（互いの間の間隔の規制）を解除してその配置構成の自由度を増すことができるＲＦＩＤ用紙用プリンターを提供することを課題とする。
【００１４】
また本発明は、ＲＦＩＤ用紙の移送方向の用紙長さの規制を解除することができるＲＦＩＤ用紙用プリンターを提供することを課題とする。
【００１５】
また本発明は、一枚のＲＦＩＤ用紙を位置検出してから、このＲＦＩＤ用紙にデータ書込みなどを行ったのち印字するまでの全体としての処理時間を短縮可能なＲＦＩＤ用紙用プリンターを提供することを課題とする。
【００１６】
また本発明は、ＲＦＩＤ用紙連続体のバックフィードや、データ読取り書込み部の移動操作などを不要として簡略化した構成が可能なＲＦＩＤ用紙用プリンターを提供することを課題とする。
【課題を解決するための手段】
【００１７】
すなわち本発明は、移送路上にＲＦＩＤ用紙連続体（ＲＦＩＤ用紙）が停止しているとき、ＲＦＩＤ用紙のピッチサイズを検出しているとき、ＲＦＩＤ用紙連続体（ＲＦＩＤ用紙）を移送しているとき、ＲＦＩＤ用紙に印字しているとき、ＲＦＩＤ用紙への印字編集処理時など、ＲＦＩＤ用紙用プリンターの動作のうち各種状態において、データ読取り書込み部におけるＲＦＩＤ用紙へのデータ交信をどの状態よりも優先して行うことに着目したもので、アンテナおよびＩＣチップを有するＲＦＩＤ用紙を移送する移送路と、データ読取り書込み部と、印字部と、この印字部および上記データ読取り書込み部を制御する制御部と、を有し、上記ＲＦＩＤ用紙の複数枚を上記移送路上に移送するとともに、上記データ読取り書込み部において上記ＲＦＩＤ用紙との間でデータの読取りあるいは書込みを行い、さらに上記印字部において上記ＲＦＩＤ用紙に所定の情報の印字を行うＲＦＩＤ用紙用プリンターであって、上記データ読取り書込み部における上記データの上記読取りあるいは上記書込みが適正であるか否かの判定結果を記憶するデータ読取り書込み結果テーブルを、上記制御部に設けるとともに、このデータ読取り書込み結果テーブルにおける上記判定結果が適正な上記ＲＦＩＤ用紙について上記印字部における上記所定の情報の上記印字を行うことを特徴とするＲＦＩＤ用紙用プリンターである。
【００１８】
上記データ読取り書込み結果テーブルにおける上記判定結果が不適正な上記ＲＦＩＤ用紙への印字について警告を出力するようにすることができる。
【００１９】
上記制御部は、上記印字部において印字が終了した上記ＲＦＩＤ用紙の上記移送路上におけるつぎの上記ＲＦＩＤ用紙について、上記データ読取り書込み結果テーブルにおける判定結果を確認することができる。
【００２０】
上記ＲＦＩＤ用紙が上記データ読取り書込み部と交信可能な位置に移送されてきたをことを検出可能とすることができる。
【発明の効果】
【００２１】
本発明によるＲＦＩＤ用紙用プリンターにおいては、データ読取り書込み部におけるデータの読取りあるいは書込みが適正であるか否かの判定結果を記憶するデータ読取り書込み結果テーブルを制御部に設けるとともに、このデータ読取り書込み結果テーブルにおける判定結果が適正なＲＦＩＤ用紙について印字部における所定の情報の印字を行うようにしたので、データ読取り書込み部と印字部との間の間隔と、ＲＦＩＤ用紙の用紙長さとの相対的な大きさに制限されることなく、データ読取り書込み部におけるＲＦＩＤ用紙との間のデータ交信を順次行うとともに、ＲＦＩＤ用紙連続体をバックフィードすることなく、印字部の印字動作に進むことが可能となり、全体の処理速度を上げることができ、また構成を簡素化することができる。
また、データ読取り書込み部と印字部との間に何枚のＲＦＩＤ用紙が存在していても、ＲＦＩＤ用紙とのデータ交信を優先させるので、ＲＦＩＤ用紙のピッチサイズの制限、さらにはデータ読取り書込み部と印字部との間の間隔に関する制限が解除され、設計の自由度を上げることができる。
【発明を実施するための最良の形態】
【００２２】
本発明は、データ読取り書込み部におけるデータ交信の結果を判定した上でこれを制御部のデータ読取り書込み結果テーブルに保存して確認可能としたので、バックフィードなどを不要とし、構成を簡素化しつつ全体の処理速度を向上させることができるＲＦＩＤ用紙用プリンターを実現した。
【実施例】
【００２３】
つぎに本発明の実施例によるＲＦＩＤ用紙用プリンター（たとえば、サーマルプリンター２０）を図１ないし図３にもとづき説明する。ただし、図４と同様の部分には同一符号を付し、その詳述はこれを省略する。
図１は、サーマルプリンター２０の要部概略側面図であって、このサーマルプリンター２０は、前述したサーマルプリンター１（図４）と同様に、ＲＦＩＤ用紙連続体２の移送路３と、データ読取り書込み部４と、印字部５と、制御部６と、を有するが、制御部６にデータ読取り書込み結果テーブル２１を設けている。
【００２４】
さらに、移送路３上においてデータ読取り書込み部４の上流側にＲＦＩＤインレット１０を位置検出するためのＲＦＩＤセンサー２２を設けるとともに、このＲＦＩＤセンサー２２に検出可能なＲＦＩＤ位置検出用マーク２３を台紙７の裏面においてＲＦＩＤインレット１０に対応した部位にあらかじめ印刷してある。
ＲＦＩＤセンサー２２がＲＦＩＤ位置検出用マーク２３を検出したときには、データ読取り書込み部４がＲＦＩＤラベル８（ＲＦＩＤインレット１０）とデータ交信開始可能な位置に移送されてきたものとする。なお、データ読取り書込み部４の近傍にＲＦＩＤラベル８が移送されてきたときに、データ読取り書込み部４がＲＦＩＤラベル８とデータ交信可能であることが判別可能であれば、このＲＦＩＤセンサー２２およびＲＦＩＤ位置検出用マーク２３は不要である。
【００２５】
データ読取り書込み結果テーブル２１は、データ読取り書込み部４におけるＲＦＩＤラベル８との間のデータの読取りあるいは書込みが適正であったか否かの判定結果を記憶するもので、制御部６は、このデータ読取り書込み結果テーブル２１における判定結果が適正なＲＦＩＤラベル８について印字部５における所定の情報の印字を行うとともに、判定結果が不適正なＲＦＩＤラベル８への印字について警告を出力するようにしている。
図２は、データ読取り書込み結果テーブル２１の説明図であって、データ読取り書込み結果テーブル２１は、各ＲＦＩＤラベル８用の番地欄２４と、各ＲＦＩＤラベル８についてそれぞれの固体識別番号を記憶するＲＦＩＤラベル欄２５と、データ交信の結果が適正（ＯＫ）であったかあるいは不適正（ＮＧ）であったかの結果を保存するデータ交信結果欄２６と、を有する。なお、図１および図２において、説明のためにそれぞれのＲＦＩＤラベル８を下流側から上流側に向かって、８Ａ、８Ｂ、８Ｃ、８Ｄ、８Ｅ、・・・と識別してある。
【００２６】
制御部６は、データ読取り書込み部４によるデータ交信ののち、ポインターにより各ＲＦＩＤラベル８用の番地欄２４を指定し、ＲＦＩＤラベル欄２５内の固体識別番号を有するＲＦＩＤラベル８についてそのデータ交信結果欄２６の判定結果を確認し、印字部５におけるこのＲＦＩＤラベル８への印字を許可する。
さらに制御部６は、印字部５において印字が終了したＲＦＩＤラベル８（たとえばＲＦＩＤラベル８Ａ）の移送路３上におけるつぎのＲＦＩＤラベル８（たとえばＲＦＩＤラベル８Ｂ）について、データ読取り書込み結果テーブル２１における判定結果を確認する。ＲＦＩＤラベル８Ｂ以降についても同様である。
【００２７】
こうした構成のサーマルプリンター２０において、データ読取り書込み部４におけるＲＦＩＤラベル８との間のデータ交信（データの読取りないし書込み）および印字部５における印字動作について説明する。
図３は、サーマルプリンター２０の動作のフローチャート図であって、ステップＳ１において、ＲＦＩＤ用紙連続体２の移送を開始し、ステップＳ２において、ＲＦＩＤラベル８のＲＦＩＤインレット１０をＲＦＩＤセンサー２２により検出すれば、ステップＳ３においてデータ読取り書込み部４とＲＦＩＤラベル８（ＲＦＩＤインレット１０）との間のデータ交信を行い、ステップＳ４においてその交信の適正か否かの結果をデータ読取り書込み結果テーブル２１に保存する。
【００２８】
ステップＳ５において、このデータ交信を行ったＲＦＩＤラベル８がラベル検出センサー１６により検出されて印字部５による印字位置に移送されてきたかを判断し、ステップＳ６において、データ読取り書込み結果テーブル２１における判定結果が適正であるかを確認し、適正であれば、ステップＳ７においてそのＲＦＩＤラベル８に印字し、不適正であれば、ステップＳ８において警告を行う。警告の方法は任意であって、たとえば、ＲＦＩＤラベル８への「×印」の印字、あるいは移送の停止や警報音の発信などがある。
【００２９】
ついで、ステップＳ９において印字枚数が終了かを判断し、終了していなければ、ステップＳ２に戻って、上述の操作を繰り返す。
【００３０】
なお、ステップＳ５において、データ交信済みのＲＦＩＤラベル８がまだ印字位置まで移送されてきていない場合には、ステップＳ２に戻って、上述のように（ステップＳ３、Ｓ４）、つぎの（上流側の）ＲＦＩＤラベル８について優先的にデータの読取りあるいは書込みを行って、その結果をデータ読取り書込み結果テーブル２１に保存する。
【００３１】
かくして、たとえば、データ読取り書込み部４においてｎ番目のＲＦＩＤラベル８にデータの読取りあるいは書込みを行うとともに、そのとき印字部５に到達している下流側のｎ−１番目、あるいはｎ−２番目やｎ−３番目などのＲＦＩＤラベル８に印字を行っていることになり、逆に下流側のｎ−１番目、あるいはｎ−２番目やｎ−３番目などのＲＦＩＤラベル８に印字を行っているときに、データ読取り書込み部４にｎ番目のＲＦＩＤラベル８が移送されてきたときには、このｎ番目のＲＦＩＤラベル８に優先してデータの読取りあるいは書込みを行うこととするもので、移送路３上に順次移送されてくるＲＦＩＤラベル８をデータ読取り書込み部４および印字部５において順次データ交信および印字を連続して行うことができる。
したがって、間隔Ｐをラベル長さＬより大きく設計することが可能となり、ＲＦＩＤラベル８のサイズに従来のような制限もないとともに、サーマルプリンター２０の構成を簡素化することができるとともに、その全体としての処理速度を上げることができる。
【図面の簡単な説明】
【００３２】
【図１】本発明の実施例によるＲＦＩＤ用紙用プリンター（たとえばサーマルプリンター２０）の要部概略側面図である。
【図２】同、データ読取り書込み結果テーブル２１の説明図である。
【図３】同、サーマルプリンター２０の動作のフローチャート図である。
【図４】従来のＲＦＩＤ用紙用プリンター（たとえばサーマルプリンター１）の要部概略側面図である。
【符号の説明】
【００３３】
１  サーマルプリンター（従来、図４）
２  ＲＦＩＤ用紙連続体
３  移送路
４  データ読取り書込み部
５  印字部
６  制御部
７  台紙
８、８Ａ、８Ｂ、８Ｃ、８Ｄ、８Ｅ、・・・  ＲＦＩＤラベル（ＲＦＩＤ用紙）
９  ラベル本体
１０  ＲＦＩＤインレット
１１  アンテナ
１２  ＩＣチップ
１３  ラベル位置検出用マーク
１４  サーマルヘッド
１５  プラテンローラー
１６  ラベル検出センサー
１７  サーマルヘッド１４の発熱素子
２０  サーマルプリンター（実施例、図１）
２１  データ読取り書込み結果テーブル（図２）
２２  ＲＦＩＤセンサー
２３  ＲＦＩＤ位置検出用マーク
２４  ＲＦＩＤラベル８用の番地欄
２５  ＲＦＩＤラベル欄
２６  データ交信結果欄
Ｌ    ＲＦＩＤラベル８の移送方向におけるラベル長さ（ラベルピッチ、用紙長さ）
Ｐ    データ読取り書込み部４と印字部５との間の間隔
【図１】
2008126456.tif 000003
【図２】
2008126456.tif 000004
【図３】
2008126456.tif 000005
【図４】
2008126456.tif 000006